(57)【特許請求の範囲】
【請求項１】
排便パッドの据え置きを通じた排便空間の提供、及び各構成装置の内外部の連係設置が可能になった本体；
前記本体の内部に装着された状態で、排泄物が加えられた前記排便パッドを巻物の形態に丸く巻き取るパッドローリング装置；
前記本体の内部にさらに装着された状態でロールバッグを巻き出し、前記パッドローリング装置によって丸く巻いた排便パッドの包装のためのビニールバッグを指定位置に供給するバッグ供給装置；
前記本体の内部にさらに装着された状態で、前記バッグ供給装置によって備えられた前記ビニールバッグの入口を開口し、前記ビニールバッグの内部への前記排便パッドの投入を可能にしたバッグ開口装置；及び、
前記本体の底部に設置されることによって、前記排便パッド及び前記ビニールバッグをそれぞれ据え置くことができる一方、巻物形態の前記排便パッド、及び前記ビニールバッグで包装した前記排便パッドを次の位置に移動させるためのパッド移送装置；を含んで構成されたことを特徴とするペット排便器。
【請求項２】
排便パッドの据え置きを通じた排便空間の提供、及び各構成装置の内外部の連係設置が可能になった本体；
前記本体の内部に装着された状態で、排泄物が加えられた前記排便パッドを巻物の形態に丸く巻き取るパッドローリング装置；
前記本体の内部にさらに装着された状態でロールラップを巻き出し、前記パッドローリング装置によって丸く巻いた排便パッドの包装のためのビニールラップを指定位置に供給するバッグ供給装置；
前記本体の内部にさらに装着された状態で、前記バッグ供給装置から供給されたビニールラップを引っ張って指定位置に据え置くことができる一方、据え置かれた前記ビニールラップで巻物形態の排便パッドを取り囲んで包装すると同時に、これを次の位置に移動させるようになったパッド包装装置；及び
前記本体の底部に設置されることによって、前記排便パッドを据え置くことができる一方、巻物形態の前記排便パッドを次の位置に移動させるためのパッド移送装置；を含んで構成されたことを特徴とするペット排便器。
【請求項３】
前記本体は、各構成装置の内在、装着及び設置のための密閉型設置空間が内部に設けられ、
ペットが立ち上がるのに適正な面積を有する上側開口型排便テーブルが一側に延長形成されることを特徴とする、請求項１及び２のいずれか１項に記載のペット排便器。
【請求項４】
前記パッドローリング装置は、前記排便パッドを巻物の形態に巻き取るための複数の巻き取りアームが間隔を置いて相互向い合うように両側からそれぞれ折り曲げられたプッシャーと、
前記プッシャーによって漸進的に巻き取られる前記排便パッド上に加えられた大便が潰されることを防止するために、前記排便パッドが軌道を描きながら巻かれるように前記巻き取りアームの先端を指定された瞬間に上下に昇降させる第１ラック及びピニオンと、を含んで構成されることを特徴とする、請求項１及び２のいずれか１項に記載のペット排便器。
【請求項５】
前記バッグ供給装置は、１枚ずつ分離して使用できるビニールバッグやビニールラップが連続的に巻かれているロールバッグ及びロールラップのうちいずれか一つを含み、
前記ロールバッグ又はロールラップの巻き取り末端を巻き出し、前記ビニールバッグやビニールラップを指定位置に連続的に供給させる巻き出しロールと、
前記巻き出しロールによって巻き出された前記ビニールバッグやビニールラップの供給を前記バッグ開口装置又は前記パッド包装装置側に案内するようになった一つ以上の多数のガイドロールと、
前記各ガイドロールによって供給が案内されるビニールバッグ又はビニールラップを引っ張り、ロールバッグ又はロールラップの巻き出し、及び前記バッグ開口装置又は前記パッド包装装置側へのビニールバッグやビニールラップの供給が行われるように相互噛み合って回動するようになった複数のフィーディングロールと、
前記フィーディングロールによって前記バッグ開口装置又は前記パッド包装装置側に供給されるビニールバッグやビニールラップを１枚ずつ分離するように切断させるためのカッターと、を含んで構成されることを特徴とする、請求項１及び２のいずれか１項に記載のペット排便器。
【請求項６】
前記本体の内部には、前記ロールバッグ及びロールラップのうちいずれか一つの内在及び収容のための収納部が上側部に形成され、
前記ビニールバッグ又はビニールラップで包装した巻物形態の前記排便パッドを収納できる内部空間を有する引き出し式収去ボックスが一側コーナーにさらに挿入されて備えられることを特徴とする、請求項１及び２のいずれか１項に記載のペット排便器。
【請求項７】
前記バッグ開口装置は、先端部の上下回転が可能な回転台によってビニールバッグの入口が開口できるように、前記ビニールバッグの上面が密着した状態で昇降作用をするリフトロールと、
前記回転台の先端部の上下回動のための第２ラック及びピニオンと、を含んで構成されることを特徴とする、請求項１に記載のペット排便器。
【請求項８】
前記パッド移送装置は、前記排便テーブル上に据え置かれた前記排便パッドを前記パッドローリング装置側に優先的に移送させ、前記パッドローリング装置によって巻物の形態に丸く巻かれるようにする第１コンベヤーと、
前記第１コンベヤーによって優先的に移送された前記排便パッドを同一の移動方向に打撃することによる追加移送のために回動先端部のスイング作用が可能になった打撃台と、
前記打撃台によって前記ビニールバッグに投入されて包装された前記排便パッドが前記収去ボックス内に収納されるように、前記排便パッドを最終的に移送させる第２コンベヤーと、を含んで構成されることを特徴とする、請求項１に記載のペット排便器。
【請求項９】
前記パッド移送装置は、前記排便テーブル上に据え置かれた前記排便パッドを前記パッドローリング装置側に優先的に移送させ、前記パッドローリング装置によって巻物の形態に丸く巻かれるようにする第１コンベヤーと、
前記第１コンベヤーによって優先的に移送された前記排便パッドを同一の移動方向に打撃することによる追加移送のために回動先端部のスイング作用が可能になった打撃台と、を含んで構成されることを特徴とする、請求項２に記載のペット排便器。
【請求項１０】
前記パッド包装装置は、前記バッグ供給装置を通じて供給された前記ビニールラップのノンスリップ、及び巻物の形態からなる排便パッドの落下及び収容のための収容パッドが前記本体の底面上に備えられ、
前記ロールラップの巻き出し末端を引っ張って前記収容パッド上に据え置くために前記本体の内部で一側先端部の往復回動が可能になった引き出し部材と、
前記引き出し部材によって収容パッド上に据え置かれた前記ビニールラップを一側に押し出し、前記排便パッドを取り囲んで包装するに続いて、前記収去ボックス内に投入できるように先端部の往復回動が可能になった回動アームと、を含んで構成されることを特徴とする、請求項２に記載のペット排便器。
【請求項１１】
前記巻き取りアームの先端部には、前記排便パッドの漸進的な巻き取りが可能になるように一側終端を干渉するための突起片が内面から所定長さだけ突出することを特徴とする、請求項４に記載のペット排便器。
【請求項１２】
前記リフトロールの外表面には、前記ビニールバッグの一面が付着できるようにした一つ以上の多数の接着テープが均等間隔ごとに配置及び構成されることを特徴とする、請求項７に記載のペット排便器。
【請求項１３】
前記収容パッドの一側部には、前記打撃台によって追加的に移送される前記排便パッドの落下及び収容のための下向き段差部が多段折り曲げによって形成されることによって、
前記収容パッド上に据え置かれる前記ビニールラップの一部位が下側に垂れるようになり、巻物形態の前記排便パッドを収容できる埋め込み空間が設けられることを特徴とする、請求項１０に記載のペット排便器。
【請求項１４】
前記回動アームの先端部には、巻物形態の前記排便パッドを前記ビニールラップで取り囲むと同時に、前記収去ボックス側に押し出して移動できるプッシュホイールがさらに備えられて結合されることを特徴とする、請求項１０に記載のペット排便器。
【発明の詳細な説明】
【技術分野】
【０００１】
本発明は、ペット排便器に関し、より詳細には、排便パッドを活用したペットの排泄物を処理するにおいて、排泄物が加えられた排便パッドを丸く巻いて包装した後、これを指定位置に収去するなどの一連の過程を自動化で容易に処理できるようにしたペット排便器に関する。
【背景技術】
【０００２】
全世界的に、数多くの人口がペットと一緒に生活している。韓国社会でも、既に１，０００万人を超える人口がペットと一緒に生活しており、１９９９年の米国の「世界未来学会」では、２０３５年から世界人口の増加傾向が停止する代わりに、ペットが急増すると見込んだこともあった（キム・ヒヨン、２００４；７）。
【０００３】
これは、老年層の人口及び独身男女の増加、核家族化の増大によって孤独感及び人間疎外現象が著しくなると共に、ペットが家族や友達と同じ概念である伴侶動物（Ａｎｉｍａｌ  ｃｏｍｐａｎｉｏｎ）、すなわち、人間生活のパートナーとして漸次認識されている実情に起因する。
【０００４】
このように、ペットを飼う人々が持続的に増加することによって、関連市場も多様化及び細分化される趨勢である。例えば、動物病院を始めとして、飼料業体、ペット専門ショップ、ペット専門インターネットショッピングモールなどが急速に増加している。近来は、ペットカフェ、ペット保険、ペットケアセンター、犬服専門店などに事業領域が拡大されており、その他の産業にまでも相当な影響を与えている。
【０００５】
しかし、ペットを飼う際、動物の生理現象で生じる毛や排泄物などによって室内の住居環境が汚染するしかない。特に、ペットを可愛がって育てる人であっても、排泄物の処理に関する部分を容易に考えることはできない。
【０００６】
さらに、排泄物で発生するアンモニア、スカトールなどのガス、メルカプタン、アミンなどは、悪臭を誘発するだけでなく、人体に有害な影響を与えるので、排泄物を長く放置せずに排泄直後に処理すると住居環境を清潔に維持することができ、排泄物に対する管理が非常に重要である。
【０００７】
したがって、トイレ又は風呂場などの指定場所でのみ排泄できるように様々な方法を用いてペットを訓練させなければならないが、思考力を有する人間と異なる排便習性を示す動物が所望の場所でのみ排便できるように訓練させることは非常に難しい。
【０００８】
また、上述した排便訓練を通じてペットが排便場所を見分けるようになるとしても、排泄物の処理のためには、チリ紙はもちろん、多量の水を浪費するようになり、その過程も容易でない。
【０００９】
このような問題を少しでも解決するために、ペット専門ショップ及びペット専門インターネットショッピングモールなどを通じて様々なペット用オムツ、排便パッドなどが市販されている。
【００１０】
図１は、通常のペット用排便パッドの構造を示した斜視図であって、ほとんどの排便パッドｐは、一定の幅及び長さの規格を有すると同時に、小便などの液体の吸収性に優れるので、背面パッドｐを排便場所に予め備えておき、その上で排便できるようにする。その結果、チリ紙や洗浄水を使用せずとも排泄物の処理を可能にする。
【００１１】
すなわち、ペットの排便行為で前記排便パッドｐ上に排泄された排泄物中の小便は内部に吸収され、大便は排便パッドｐを巻物の形態に丸く巻きながら一緒に包装し、排泄物の処理を容易にした。
【００１２】
しかし、内部には小便が吸収された状態で、大便が加えられた状態の排便パッドｐを丸く巻いて包装する過程をユーザーが直接実施しなければならないという煩雑さと共に、その行為の途中でユーザーの不注意によって指や手の平などの身体の一部に排泄物が付く可能性が残っており、依然として衛生的に不潔であるという問題がある。
【発明の概要】
【発明が解決しようとする課題】
【００１３】
本発明の目的は、前記のような諸般の問題を解決するために、排泄物が加えられた排便パッドを丸く巻き取るパッドローリング装置と、排便パッドをビニールバッグに入れておくバッグ開口装置とを共に備えることによって、排泄物が含まれた排便パッドを自動的に包装できるようにするペット排便器を提供することにある。
【００１４】
本発明の他の目的は、巻物形態のロールバッグを巻き出して供給し、ビニールバッグに包装された排便パッドを指定位置に転がすパッド移送装置をさらに備えることによって、本体に備えられた収去ボックスを本体から引き出し、その内部に入った包装排便パッドをごみ箱などに簡便に捨てられるようにするペット排便器を提供することにある。
【課題を解決するための手段】
【００１５】
前記のような目的を達成するために、本発明は、排便パッドの据え置きを通じた排便空間の提供、及び各構成装置の内外部の連係設置が可能になった本体；前記本体の内部に装着された状態で、排泄物が加えられた前記排便パッドを巻物の形態に丸く巻き取るパッドローリング装置；前記本体の内部にさらに装着された状態でロールバッグを巻き出し、前記パッドローリング装置によって丸く巻いた排便パッドを包装するためのビニールバッグを指定位置に供給するバッグ供給装置；前記本体の内部にさらに装着された状態で、前記バッグ供給装置によって備えられた前記ビニールバッグの入口を開口し、前記ビニールバッグの内部への前記排便パッドの投入を可能にしたバッグ開口装置；及び、前記本体の底部に設置されることによって、前記排便パッド及び前記ビニールバッグをそれぞれ据え置くことができる一方、巻物形態の前記排便パッド、及び前記ビニールバッグで包装した前記排便パッドを次の位置に移動させるためのパッド移送装置；を含んで構成されたことを特徴とする。
【００１６】
また、排便パッドの据え置きを通じた排便空間の提供、及び各構成装置の内外部の連係設置が可能になった本体；前記本体の内部に装着された状態で、排泄物が加えられた前記排便パッドを巻物の形態に丸く巻き取るパッドローリング装置；前記本体の内部にさらに装着された状態でロールラップを巻き出し、前記パッドローリング装置によって丸く巻いた排便パッドを包装するためのビニールラップを指定位置に供給するバッグ供給装置；前記本体の内部にさらに装着された状態で、前記バッグ供給装置から供給されたビニールラップを引っ張って指定位置に据え置くことができる一方、据え置かれた前記ビニールラップで巻物形態の排便パッドを取り囲んで包装すると同時に、これを次の位置に移動させるようになったパッド包装装置；及び、前記本体の底部に設置されることによって、前記排便パッドを据え置くことができる一方、巻物形態の前記排便パッドを次の位置に移動させるためのパッド移送装置；を含んで構成されたことを特徴とする。
【００１７】
さらに、前記本体は、各構成装置の内在、装着及び設置のための密閉型設置空間が内部に設けられ、ペットが立ち上がるのに適正な面積を有する上側開口型排便テーブルが一側に延長形成されることを特徴とする。
【００１８】
また、前記パッドローリング装置は、前記排便パッドを巻物の形態に巻き取るための複数の巻き取りアームが間隔を置いて相互向い合うように両側からそれぞれ折り曲げられたプッシャーと、前記プッシャーによって漸進的に巻き取られる前記排便パッド上に加えられた大便が潰されることを防止するために、前記排便パッドが軌道を描きながら巻かれるように前記巻き取りアームの先端を指定された瞬間に上下に昇降させる第１ラック及びピニオンとを含んで構成されることを特徴とする。
【００１９】
さらに、前記バッグ供給装置は、一つずつ分離して使用できるビニールバッグやビニールラップが連続的に巻かれているロールバッグ及びロールラップのうちいずれか一つを含み、前記ロールバッグ又はロールラップの巻き取り末端を巻き出し、ビニールバッグやビニールラップを指定位置に連続的に供給させる巻き出しロールと、前記巻き出しロールによって巻き出された前記ビニールバッグやビニールラップの供給を、前記バッグ開口装置又は前記パッド包装装置側に案内するようになった一つ以上の多数のガイドロールと、前記各ガイドロールによって供給が案内されるビニールバッグ又はビニールラップを引っ張り、ロールバッグ又はロールラップの巻き出し、及び前記バッグ開口装置又は前記パッド包装装置側へのビニールバッグやビニールラップの供給が行われるように相互噛み合って回動するようになった複数のフィーディングロールと、前記フィーディングロールによって前記バッグ開口装置又は前記パッド包装装置側に供給されるビニールバッグやビニールラップを１枚ずつ分離するように切断させるためのカッターとを含んで構成されることを特徴とする。
【００２０】
また、前記本体の内部には、前記ロールバッグ及びロールラップのうちいずれか一つの内在及び収容のための収納部が上側部に形成され、前記ビニールバッグ又はビニールラップで包装した巻物形態の前記排便パッドを収納できる内部空間を有する引き出し式収去ボックスが一側コーナーにさらに挿入されて備えられることを特徴とする。
【００２１】
さらに、前記バッグ開口装置は、先端部の上下回転が可能な回転台によってビニールバッグの入口が開口できるように、前記ビニールバッグの上面が密着した状態で昇降作用をするリフトロールと、前記回転台の先端部の上下回動のための第２ラック及びピニオンとを含んで構成されることを特徴とする。
【００２２】
また、前記パッド移送装置は、前記排便テーブル上に据え置かれた前記排便パッドを前記パッドローリング装置側に優先的に移送させ、前記パッドローリング装置によって巻物の形態に丸く巻かれるようにする第１コンベヤーと、前記第１コンベヤーによって優先的に移送された前記排便パッドを同一の移動方向に打撃することによる追加移送のために回動先端部のスイング作用が可能になった打撃台と、前記打撃台によって前記ビニールバッグに投入されて包装された排便パッドが前記収去ボックス内に収納されるように排便パッドを最終的に移送させる第２コンベヤーとを含んで構成されることを特徴とする。
【００２３】
さらに、前記パッド移送装置は、前記排便テーブル上に据え置かれた前記排便パッドを前記パッドローリング装置側に優先的に移送させ、前記パッドローリング装置によって巻物の形態に丸く巻かれるようにする第１コンベヤーと、前記第１コンベヤーによって優先的に移送された前記排便パッドを同一の移動方向に打撃することによる追加移送のために回動先端部のスイング作用が可能になった打撃台とを含んで構成されることを特徴とする。
【００２４】
また、前記パッド包装装置は、前記バッグ供給装置を通じて供給された前記ビニールラップのノンスリップ、及び巻物の形態からなる排便パッドの落下及び収容のための収容パッドが前記本体の底面上に備えられ、前記ロールラップの巻き出し末端を引っ張って前記収容パッド上に据え置くために前記本体の内部で一側先端部の往復回動が可能になった引き出し部材と、前記引き出し部材によって収容パッド上に据え置かれた前記ビニールラップを一側に押し出し、前記排便パッドを取り囲んで包装することに続いて、前記収去ボックス内に投入できるように先端部の往復回動が可能になった回動アームとを含んで構成されることを特徴とする。
【００２５】
さらに、前記巻き取りアームの先端部には、前記排便パッドの漸進的な巻き取りが可能になるように、一側終端を干渉するための突起片が内面から所定長さだけ突出することを特徴とする。
【００２６】
また、前記リフトロールの外表面には、前記ビニールバッグの一面が付着できるようにした一つ以上の多数の接着テープが均等間隔ごとに配置されて構成されることを特徴とする。
【００２７】
さらに、前記収容パッドの一側部には、前記打撃台によって追加的に移送される前記排便パッドの落下及び収容のための下向き段差部が多段折り曲げによって形成されることによって、前記収容パッド上に据え置かれる前記ビニールラップの一部位が下側に垂れるようになり、その結果、巻物形態の前記排便パッドを収容できる埋め込み空間が設けられることを特徴とする。
【００２８】
また、前記回動アームの先端部には、巻物形態の前記排便パッドを前記ビニールラップで取り囲むと同時に、前記収去ボックス側に押し出して移動できるプッシュホイールがさらに備えられて結合されることを特徴とする。
【発明の効果】
【００２９】
以上の説明から明確に分かるように、本発明のペット排便器は、排泄物が加えられた排便パッドを巻物の形態に丸く巻いてからビニールバッグに入れて包装した後、これを収去ボックスに入れる排泄物処理過程の自動化を通じて、ペットの排泄物を処理するのに人が関与しなくてもよいという便利さを提供すると共に、ビニールバッグの包装による防水、防虫、防臭などの多様な効果を収めることができる。
【００３０】
また、自分の体臭によってのみ排便行為を持続する動物の習性を勘案すると、本発明のペット排便器の備え付け位置を異ならせるだけでも、別途に訓練させることなく、ペットの排便場所を必要時に簡単に変更可能になるという効果をもたらす。
【００３１】
併せて、上述した各種効果の達成を通じて、排泄物処理の効率性を増大できる一方、排泄物から発生する悪臭を未然に遮断し、快適な室内の住居環境を造成するのに大きな効果を収めることができることはもちろん、このような長所の発揮による消費者の購買欲求の充足によって該当製品の販売効率を大きく増大させると同時に、ペット関連産業の発展及び活性化に大きく寄与できる非常に有用な発明である。
【図面の簡単な説明】
【００３２】
【図１】通常のペット排便パッドの構造を示した斜視図である。
【図２】本発明に係るペット排便器の全体構造を示した側断面図である。
【図３】本発明に係るペット排便器におけるパッドローリング装置の構造を示した要部斜視図である。
【図４】本発明に係るペット排便器におけるバッグ開口装置の構造を示した要部斜視図である。
【図５】本発明に係るペット排便器の作動関係を示した要部断面図である。
【図６】本発明に係るペット排便器の作動関係を示した要部断面図である。
【図７】本発明に係るペット排便器の作動関係を示した要部断面図である。
【図８】本発明に係るペット排便器の作動関係を示した要部断面図である。
【図９】本発明に係るペット排便器の他の実施例を示した側断面図である。
【図１０】本発明に係るペット排便器の他の実施例の作動関係を示した要部断面図である。
【図１１】本発明に係るペット排便器の他の実施例の作動関係を示した要部断面図である。
【図１２】本発明に係るペット排便器の他の実施例の作動関係を示した要部断面図である。
【図１３】本発明に係るペット排便器の他の実施例の作動関係を示した要部断面図である。
【発明を実施するための形態】
【００３３】
以下、本発明の属する技術分野で通常の知識を有する者が本発明を容易に実施できる程度に、本発明の好ましい実施例を添付の図面を参照して詳細に説明する。
【００３４】
添付の図面において、図２は、本発明に係るペット排便器の全体構造を示した側断面図で、図３は、本発明に係るペット排便器におけるパッドローリング装置の構造を示した要部斜視図で、図４は、本発明に係るペット排便器におけるバッグ開口装置の構造を示した要部斜視図で、図５〜図８は、本発明に係るペット排便器の作動関係を示した要部断面図である。
【００３５】
図２に示したように、本発明に係るペット排便器Ａは、排便パッドｐの据え置きを通じた排便空間の提供、及び各構成装置の内外部の連係設置が可能になった本体１と、前記本体１の内部に装着された状態で排泄物が加えられた排便パッドｐを巻物の形態に丸く巻き取るパッドローリング装置２と、前記本体１の内部にさらに装着された状態でロールバッグを巻き出し、前記パッドローリング装置２によって丸く巻いた排便パッドｐの包装のためのビニールバッグを指定位置に供給するバッグ供給装置３と、前記本体１の内部にさらに装着された状態で前記バッグ供給装置３によって備えられたビニールバッグの入口を開口し、その内部への排便パッドｐの投入を可能にしたバッグ開口装置４と、前記本体１の底部に設置されることによって排便パッドｐ及びビニールバッグをそれぞれ据え置くことができる一方、排泄物が加えられた巻物形態の排便パッドｐ、及びビニールバッグで包装した排便パッドｐを次の位置に移動させるためのパッド移送装置５とを含んで構成される。
【００３６】
本体１は、排便パッドｐを活用したペットの排便空間の提供、及びペットの排泄物処理を目的として自動的に連動する各構成装置の内在、収容、装着及び設置のためのものであって、前記パッドローリング装置２、バッグ供給装置３、バッグ開口装置４、及びパッド移送装置５の装着及び設置のための密閉型設置空間１ａが内部に設けられ、ペットが立ち上がるのに適当な面積を有する上側開口型排便テーブル１１が一側に延長形成される。
【００３７】
また、前記設置空間１ａの上側には、ロール形態に提供されるロールバッグの内在及び収容のための収納部１２が形成されるが、蓋１２１の追加構成を通じて、収容されたロールバッグの消耗時、他のロールバッグに容易に補充できるように開閉が可能になることが好ましい。
【００３８】
さらに、前記排便テーブル１１に対応する他側の内部コーナーには、ビニールバッグで包装した巻物形態の排便パッドｐを収納できる内部空間を有する引き出し式の収去ボックス１３がさらに挿入されて備えられる。
【００３９】
そして、前記本体１の外部一面には、電源供給による装置の駆動及びユーザーの操作による装置の作動のためのコントローラー１４がさらに装着されることが好ましい。
【００４０】
パッドローリング装置２は、ペットの排便行為で排便パッドｐ上に加えられた排泄物の処理を目的とし、前記排便パッドｐを排泄物と一緒に巻物の形態に丸く巻いて処理するための手段であって、図３に示したように、排便パッドｐを巻物の形態に丸く巻き取るための複数の巻き取りアーム２１１が間隔を置いて相互向い合うように両側からそれぞれ折り曲げられたプッシャー２１と、前記プッシャー２１によって漸進的に巻き取られる前記排便パッドｐ上に加えられた大便が潰されることを防止するために、前記排便パッドｐが大きな軌道を描きながら巻かれるように前記巻き取りアーム２１１の先端を指定された瞬間に上下に昇降させる第１ラック及びピニオン２２とを含んで構成される。
【００４１】
また、前記プッシャー２１の巻き取りアーム２１１のそれぞれの先端部には、前記排便パッドｐの一側終端を干渉し、排便パッドｐの漸進的な巻き取りを可能にするための突起片２１１−１が内面から所定長さだけ突出している。
【００４２】
そして、前記第１ラック及びピニオン２２のうち直線運動をするピニオンは、前記プッシャー２１の回転軸から突出形成されたヒンジアーム２２１の突出先端部に一体に形成される。
【００４３】
バッグ供給装置３は、排泄物と一緒に巻物の形態に丸く巻き取られた前記排便パッドｐを包装するようにロールバッグを巻き出し、指定場所に１枚ずつのビニールバッグを連続的に供給するための手段であって、１枚ずつ分離して使用できるビニールバッグ３１−１が連続的に巻かれているロールバッグ３１を含み、前記ロールバッグ３１の巻き取り末端を巻き出し、ビニールバッグやビニールラップを指定位置に連続的に供給させる巻き出しロール３２と、前記巻き出しロール３２によって巻き出されたビニールバッグ３１−１の供給を前記バッグ開口装置４側に案内するようになった一つ以上の多数のガイドロール３３と、前記各ガイドロール３３によって供給が案内されるビニールバッグ３１−１を引っ張り、ロールバッグ３１の巻き出し、及び前記バッグ開口装置４側へのビニールバッグ３１−１の供給が行われるように相互噛み合って回動するようになった複数のフィーディングロール３４と、前記フィーディングロール３４によって前記バッグ開口装置４側に供給されるビニールバッグ３１−１を１枚ずつ分離するように切断させるためのカッター３５とを含んで構成される。
【００４４】
バッグ開口装置４は、前記バッグ供給装置３によってパッド移送装置５に供給されて備えられた１枚ずつのビニールバッグ３１−１の入口を開口させ、巻物の形態に丸く巻いた排便パッドｐがビニールバッグ３１−１内に投入できるようにするための手段であって、図４に示したように、先端部の上下回転が可能な回転台４１１によってビニールバッグ３１−１の入口が広げられるように前記ビニールバッグ３１−１の上面が密着した状態で昇降作用をするリフトロール４１と、前記回転台４１１の先端部の上下回動のための第２ラック及びピニオン４２とを含んで構成される。
【００４５】
また、前記リフトロール４１の外表面には、前記ビニールバッグ３１−１の一面が付着できるようにするための一つ以上の多数の接着テープ４１０が均等間隔ごとに配置されて構成されている。
【００４６】
そして、前記第２ラック及びピニオン４２のうち直線運動をするピニオンは、前記回転台４１１の回転軸から突出形成されたヒンジアーム４２１の突出先端部に一体に形成される。
【００４７】
パッド移送装置５は、前記パッドローリング装置２、バッグ開口装置４、及び前記本体１の収去ボックス１３側への排便パッドｐの順次移送のための手段であって、前記排便テーブル１１上に据え置かれた排便パッドｐを前記パッドローリング装置２側に優先的に移送させ、前記パッドローリング装置２によって巻物の形態に巻かれるようにする第１コンベヤー５１と、前記第１コンベヤー５１によって優先的に移送された排便パッドｐを同一の移動方向に打撃し、前記バッグ開口装置４によって入口が開口されたビニールバッグ３１−１内に丸く巻いた排便パッドｐが投入できるように回動先端部のスイング作用が可能になった打撃台５２と、前記打撃台５２によってビニールバッグ３１−１に投入されて包装された排便パッドｐが前記収去ボックス１３内に収納されるように、排便パッドｐを最終的に移送させる第２コンベヤー５３とを含んで構成される。
【００４８】
参考までに、前記プッシャー２１の先端に近接した排便テーブル１１の内壁面に別途の感知センサー（図示せず）をさらに装着し、前記第１コンベヤー５１によって移送される排便パッドｐの終端を感知させることによって、その感知信号によって前記プッシャー２１の先端部が昇降するように指定された瞬間に前記第１ラック及びピニオン２２を動作させることも可能である。
【００４９】
一方、図９は、本発明に係るペット排便器の他の実施例を示した側断面図で、図１０〜図１３は、本発明に係るペット排便器の他の実施例の作動関係を示した要部断面図で、前記バッグ開口装置４の構成を省略し、前記バッグ開口装置４の機能及び前記パッド移送装置５の一部の機能を同時に行えるパッド包装装置６を構成するように、装置の構造を異ならせることができる。
【００５０】
また、前記ビニールバッグ３１−１を供給するロールバッグ３１の代わりに、一定の長さに切って使用できるビニールラップ３１'−１が巻かれているロールラップ３１'を備えることによって、前記排便パッドｐを取り囲む方式で包装することも可能である。
【００５１】
これによる前記パッド包装装置６は、バッグ供給装置３を通じて供給された前記ビニールラップ３１'−１のノンスリップ、及び巻物の形態からなる排便パッドｐの落下及び収容のための収容パッド６１が前記本体１の底面上に備えられ、前記ロールラップ３１'の巻き出し末端を引っ張って前記収容パッド６１上に据え置くために前記本体１の内部で一側先端部の往復回動が可能になった引き出し部材６２と、前記引き出し部材６２によって収容パッド６１上に据え置かれたビニールラップ３１'−１を一側に押し出し、排便パッドｐを取り囲んで包装することに続いて、前記収去ボックス１３内に投入できるように先端部の往復回動が可能になった回動アーム６３とを含んで構成される。
【００５２】
ここで、前記収容パッド６１の具備により、排便パッドｐを収去ボックス１３側に最終的に移送させるのに必要な前記パッド移送装置５の第２コンベヤー５３は、その構成が省略されることが好ましい。
【００５３】
そして、前記収容パッド６１の一側部には、前記打撃台５２によって打撃及び移送される排便パッドＰの落下及び収容のための下向き段差部６１１が多段折り曲げによって形成される。よって、前記収容パッド６１上に据え置かれるビニールラップ３１'−１の一部位が下側に垂れることによって、巻物形態の排便パッドｐを収容できる埋め込み空間６１１ａが設けられる。
【００５４】
また、前記回動アーム６３の先端部には、前記埋め込み空間６１１ａに投入された巻物形態の排便パッドｐをビニールラップ３１'−１で取り囲むと同時に、前記収去ボックス１３側に容易に押し出して移動できるプッシュホイール６２１がさらに備えられて結合される。
【００５５】
前記のような構成からなる本発明に係るペット排便器Ａの作用を具体的に説明すると次の通りであり、バッグ開口装置４が構成された装置の構造を実施例とする。
【００５６】
まず、図５に示したように、排便テーブル１１内でペットが排便すると、その排泄物は、前記排便テーブル１１上に予め据え置いた排便パッドｐに排泄される。
【００５７】
このように、ペットが排便パッドｐに排便した後、本発明のペット排便器Ａをユーザーが作動させることによって排泄物の後処理のための作動が開始されるが、これは、前記コントローラー１４の操作を通じて可能である。
【００５８】
それによって、前記パッド移送装置５の第１コンベヤー５１のベルトが一方向に循環される作動を開始するようになり、その結果、前記排便パッドｐがパッドローリング装置２側に優先的に移送され、前記プッシャー２１の巻き取りアーム２１１のそれぞれの先端部から内側に突出した各突起片２１１−１の干渉によって漸進的に巻き込まれるようなり、このような作用の持続によって前記排便パッドｐが巻物の形態に丸く巻き取られる。
【００５９】
このとき、図６に示したように、既に設定されたプログラムによって定められた時間に前記第１ラック及びピニオン２２が作動し、前記巻き取りアーム２１１の先端部が一側に上向きに回転することによって、前記排便パッドｐの一部位が大きな軌道を描きながら巻かれる。その結果、排便パッドｐ上に加えられた排泄物が潰されることなく排便パッドｐで取り囲まれる。
【００６０】
続いて、図７に示したように、排泄物を含んで巻物の形態に丸く巻いた排便パッドｐは、前記打撃台５２によって前記バッグ開口装置４側に移動するものであって、このような過程で前記バッグ開口装置４のリフトロール４１によって入口が開口されたビニールバッグ３１−１内に投入され得る。その次に、排便パッドｐは、前記パッド移送装置５の第２コンベヤー５３によって同一の方向に連続的に移動し、前記収去ボックス１３内に最終的に収納される。
【００６１】
これによって、前記ビニールバッグ３１−１の包装が完了した状態で収去ボックス１３内に排便パッドｐが収納された後、前記収去ボックス１３を本体１から簡単に取り出し、ごみ箱などの最後的な処理手段に振るい落すことによって排泄物の処理が最終的に終了する。
【００６２】
最後に、図８に示したように、前記バッグ供給装置３のフィーディングロール３４の作動によって前記ロールバッグ３１からビニールバッグ３１−１の供給が行われるが、前記カッター３５の作動によって１枚ずつのビニールバッグ３１−１に切断された後、前記パッド移送装置５の第２コンベヤー５３上に据え置かれる。その後、ユーザーが新しい排便パッドｐを排便テーブル１１上に直接据え置き、前記プッシャー２１に排便パッドｐの一側両端を固定させることによって、ペットの次の排便行為及び排泄物処理のための装置の駆動を準備する。
【００６３】
以上の内容をまとめると、前記パッドローリング装置、バッグ供給装置３、バッグ開口装置４、及びパッド移送装置５の連係的な作動により、人が関与しなくてもペットの排泄物処理が可能になり、その結果、排泄物の処理に対して苦しむことなく、ペットと一緒に生活することのみに集中できるという効果を収めることができる。
【００６４】
また、上述した作動特性を有する本発明のペット排便器Ａを用いて排泄物の処理が容易になることによって、排泄物の未処理による悪臭発生及び細菌繁殖の心配をきれいに解消することができ、室内の住居環境をさらに容易に快適にし得るという効果を収めることができる。
【００６５】
以上のように、本発明を好ましい実施例を用いて詳細に説明したが、本発明の範囲が特定の実施例に限定されることはなく、添付の特許請求の範囲によって解釈すべきであろう。また、この技術分野で通常の知識を習得した者であれば、本発明の範疇及び思想を逸脱しない範囲内で多様な変形実施が可能であることは当然である。
【産業上の利用可能性】
【００６６】
本発明のペット排便器は、排泄物処理の効率性を増大できる一方、排泄物から発生する悪臭を未然に遮断し、快適な室内の住居環境を造成するのに大きな効果を収めることができる。また、このような長所の発揮による消費者の購買欲求の充足により、該当製品の販売効率を大きく増大させると同時に、ペット関連産業の発展及び活性化に大きく寄与することができる。
【符号の説明】
【００６７】
Ａ：排便器、１：本体、１ａ：設置空間
２：パッドローリング装置、３：バッグ供給装置、４：バッグ開口装置
５：パッド移送装置、６：パッド包装装置、１１：排便テーブル
１２：収納部、１３：収去ボックス、１４：コントローラー
２１：プッシャー、２２：第１ラック及びピニオン、３１：ロールバッグ
３１'：ロールラップ、３１−１：ビニールバッグ、３１'−１：ビニールラップ
３２：巻き出しロール、３３：ガイドロール、３４：フィーディングロール
３５：カッター、４１：リフトロール、４２：第２ラック及びピニオン
５１：第１コンベヤー、５２：打撃台、５３：第２コンベヤー
６１：収容パッド、６２：回動アーム、６３：引き出し部材
１２１：蓋、２１１：巻き取りアーム、２１１−１：突起片
２２１、４２１：ヒンジアーム、４１０：接着テープ、４１１：回転台
６１１：下向き段差部、６１１ａ：埋め込み空間、６２１：プッシュホイール
【図１】
0006511625.tif 000002
【図２】
0006511625.tif 000003
【図３】
0006511625.tif 000004
【図４】
0006511625.tif 000005
【図５】
0006511625.tif 000006
【図６】
0006511625.tif 000007
【図７】
0006511625.tif 000008
【図８】
0006511625.tif 000009
【図９】
0006511625.tif 000010
【図１０】
0006511625.tif 000011
【図１１】
0006511625.tif 000012
【図１２】
0006511625.tif 000013
【図１３】
0006511625.tif 000014